(57)【要約】【課題】複数の記録フォーマットで記録可能な記録媒体を初期化する際に、初期化フォーマットを容易に選択できるようにする。【解決手段】選択されたカメラモードに応じて、映像信号を光学ディスク１１１に記録可能な記録フォーマットをＬＣＤ１０６に提示し、さらに、選択された項目の詳細情報としてカメラモードの種類とディスクフォーマットの種類とに関する情報をＬＣＤ１０６に表示するようにすることにより、して、用途に合わない（誤った）記録フォーマットを使用者が選択して記録媒体の初期化処理が行われてしまう不都合を防止できるようにする。【選択図】図１
2008054228.tif 000002
【特許請求の範囲】
【請求項１】
撮像手段により生成される映像信号が従う第１の映像信号方式または第２の映像信号方式を使用者の操作に応じて選択する映像信号方式選択手段と、
前記映像信号方式選択手段により選択された映像信号方式に応じて、前記映像信号を記録媒体に記録可能な記録フォーマットを表示部に提示する提示手段とを備えることを特徴とする撮像装置。
【請求項２】
撮像手段から得られた撮像信号を用いて、第１の映像信号方式に従う第１の映像信号、または前記第１の映像信号方式とは異なる第２の映像信号方式に従う第２の映像信号を生成する映像信号生成手段と、
前記映像信号生成手段から出力される映像信号が従う映像信号方式を使用者の操作に応じて選択する映像信号方式選択手段と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、
前記記録フォーマット選択手段により選択された記録フォーマットに従って前記記録媒体を初期化処理する初期化手段と、
前記映像信号生成手段により生成された第１の映像信号または第２の映像信号を前記初期化手段によって初期化処理された記録媒体に記録する記録手段と、
前記映像信号方式選択手段により選択された映像信号方式に応じて、前記記録フォーマット選択手段により選択可能な記録フォーマットを表示部に提示する提示手段とを備えることを特徴とする撮像装置。
【請求項３】
前記提示手段は、前記記録媒体に対する初期化処理に伴い、前記映像信号を前記記録媒体に記録可能な記録フォーマットを前記表示部に提示することを特徴とする請求項１または２に記載の撮像装置。
【請求項４】
前記記録媒体は光学ディスクであり、前記記録フォーマットはファイルフォーマットと映像信号の記録方式との組み合わせからなる記録フォーマットであることを特徴とする請求項１〜３の何れか１項に記載の撮像装置。
【請求項５】
前記第１の映像信号及び第２の映像信号はそれぞれ、解像度が互いに異なることを特徴とする請求項２〜４の何れか１項に記載の撮像装置。
【請求項６】
撮像手段により生成される映像信号が従う第１の映像信号方式または第２の映像信号方式を使用者の操作に応じて選択する映像信号方式選択工程と、
前記映像信号方式選択工程において選択された映像信号方式に応じて、前記映像信号を記録媒体に記録可能な記録フォーマットを表示部に提示する提示工程とを備えることを特徴とする撮像装置の制御方法。
【請求項７】
撮像手段から得られた撮像信号を用いて、第１の映像信号方式に従う第１の映像信号、または前記第１の映像信号方式とは異なる第２の映像方式に従う第２の映像信号を生成する映像信号生成工程と、
前記映像信号生成工程において出力された映像信号が従う映像信号方式を使用者の操作に応じて選択する映像信号方式選択工程と、
前記第１の映像信号を記録媒体に記録するための記録フォーマット、または前記第２の映像信号を前記記録媒体に記録するための記録フォーマットの何れか一方を任意に選択する記録フォーマット選択工程と、
前記記録フォーマット選択工程において選択された記録フォーマットに従って前記記録媒体を初期化処理する初期化工程と、
前記映像信号生成工程において生成された第１の映像信号または第２の映像信号を前記初期化工程において初期化処理された記録媒体に記録する記録工程と、
前記映像方式選択工程において選択された映像信号方式に応じて、前記記録フォーマット選択工程において選択可能な記録フォーマットを表示部に提示する提示工程とを備えることを特徴とする撮像装置の制御方法。
【請求項８】
前記提示工程においては、前記記録媒体に対する初期化処理に伴い、前記映像信号を前記記録媒体に記録可能な記録フォーマットを前記表示部に提示することを特徴とする請求項６または７に記載の撮像装置の制御方法。
【請求項９】
前記記録媒体は光学ディスクであり、前記記録フォーマットはファイルフォーマットと映像信号の記録方式との組み合わせからなる記録フォーマットであることを特徴とする請求項６〜８の何れか１項に記載の撮像装置の制御方法。
【請求項１０】
前記第１の映像信号及び第２の映像信号はそれぞれ、解像度が互いに異なることを特徴とする請求項７〜９の何れか１項に記載の撮像装置の制御方法。
【請求項１１】
撮像手段により生成される映像信号が従う第１の映像信号方式または第２の映像信号方式を使用者の操作に応じて選択する映像信号方式選択工程と、
前記映像信号方式選択工程において選択された映像信号方式に応じて、前記映像信号を記録媒体に記録可能な記録フォーマットを表示部に提示する提示工程とを備える撮像装置の制御方法をコンピュータに実行させることを特徴とするプログラム。
【請求項１２】
撮像手段から得られた撮像信号を用いて、第１の映像信号方式に従う第１の映像信号、または前記第１の映像信号方式とは異なる第２の映像方式に従う第２の映像信号を生成する映像信号生成工程と、
前記映像信号生成工程において出力された映像信号が従う映像信号方式を使用者の操作に応じて選択する映像信号方式選択工程と、
前記第１の映像信号を記録媒体に記録するための記録フォーマット、または前記第２の映像信号を前記記録媒体に記録するための記録フォーマットの何れか一方を任意に選択する記録フォーマット選択工程と、
前記記録フォーマット選択工程において選択された記録フォーマットに従って前記記録媒体を初期化処理する初期化工程と、
前記映像信号生成工程において生成された第１の映像信号または第２の映像信号を前記初期化工程において初期化処理された記録媒体に記録する記録工程と、
前記映像方式選択工程において選択された映像信号方式に応じて、前記記録フォーマット選択工程において選択可能な記録フォーマットを表示部に提示する提示工程とを備える撮像装置の制御方法をコンピュータに実行させることを特徴とするプログラム。
【請求項１３】
請求項１１または１２に記載のプログラムを記憶したことを特徴とするコンピュータ読み取り可能な記憶媒体。
【発明の詳細な説明】
【技術分野】
【０００１】
本発明は撮像装置、撮像装置の制御方法、プログラム及び記憶媒体に関し、特に、複数種類の映像信号を複数種類の記録フォーマットにて記録するために用いて好適な技術に関する。
【背景技術】
【０００２】
従来、映像を撮影して光学ディスクに記録するビデオカメラが知られている。この種のビデオカメラにて用いる光学ディスク（ディスク）として、ＤＶＤが知られている。記録用のＤＶＤとしては、ＤＶＤ−Ｒなどの追記型ディスクや、ＤＶＤ−ＲＷなどの書き替え可能ディスクがある。また、これらのＤＶＤに対して映像信号を記録する記録フォーマットとして、ＤＶＤビデオフォーマットやＤＶＤビデオレコーディングフォーマットがある。例えば、ディスクビデオカメラでは、ディスクが初めて装着された場合には、この様な記録フォーマットに応じた初期化処理を行う（例えば、特許文献１参照）。
【０００３】
また、この様にディスクに記録した各種のデータは、通常ファイルとして扱われる。そのため、ディスクに記録したデータをファイルとして扱うためファイルシステムが必要である。ディスクに記録したデータ用のファイルシステムとして、ＵＤＦ（Ｕｎｉｖｅｒｓａｌ  Ｄｉｓｋ  Ｆｏｒｍａｔ）が知られている。ＤＶＤ−Ｒ、ＤＶＤ−ＲＷはＵＤＦ２．０のファイルシステムに対応している。
【０００４】
このようにディスクビデオカメラでは、映像や音声をディスクへ記録する前に、ファイルフォーマット処理とディスクフォーマット処理とを行い、ディスクへのデータ書き込みを可能にしておく必要がある。
【０００５】
また、近年、従来の標準解像度（ＳＤ）の映像信号に代えて、高精細（ＨＤ）映像信号を撮影してＤＶＤディスク記録するための規格（ＡＶＣＨＤ）が提案された。
【０００６】
【特許文献１】特開２００３−７８８７４号公報
【発明の開示】
【発明が解決しようとする課題】
【０００７】
前述の様に、ＡＶＣＨＤ規格では、ＤＶＤディスクに対してＨＤ信号を記録することができる。そのため、ＤＶＤディスクに対し、ＳＤ信号を記録する従来のＤＶＤビデオフォーマット、ＶＲフォーマットに加え、ＡＶＣＨＤフォーマットにて記録できるビデオカメラを実現することが可能となる。
【０００８】
その結果、この種のビデオカメラでは、ディスクの種類や記録フォーマット、また、記録可能な映像信号方式が各々複数存在する。このため、それぞれの組み合わせを適切に選択しないと映像や音声をＤＶＤディスクに記録することができなくなってしまうという問題点があった。
【０００９】
本発明は前述の問題点に鑑み、複数の記録フォーマットで記録可能な記録媒体を初期化する際に、初期化フォーマットを容易に選択できるようにすることを目的としている。
【課題を解決するための手段】
【００１０】
本発明の撮像装置は、撮像手段により生成される映像信号が従う第１の映像信号方式または第２の映像信号方式を使用者の操作に応じて選択する映像信号方式選択手段と、前記映像信号方式選択手段により選択された映像信号方式に応じて、前記映像信号を記録媒体に記録可能な記録フォーマットを表示部に提示する提示手段とを備えることを特徴とする。
また、本発明の撮像装置の他の特徴とするところは、撮像手段から得られた撮像信号を用いて、第１の映像信号方式に従う第１の映像信号、または前記第１の映像信号方式とは異なる第２の映像信号方式に従う第２の映像信号を生成する映像信号生成手段と、前記映像信号生成手段から出力される映像信号が従う映像信号方式を使用者の操作に応じて選択する映像信号方式選択手段と、前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、前記記録フォーマット選択手段により選択された記録フォーマットに従って前記記録媒体を初期化処理する初期化手段と、前記映像信号生成手段により生成された第１の映像信号または第２の映像信号を前記初期化手段によって初期化処理された記録媒体に記録する記録手段と、前記映像信号方式選択手段により選択された映像信号方式に応じて、前記記録フォーマット選択手段により選択可能な記録フォーマットを表示部に提示する提示手段とを備えることを特徴とする。
【００１１】
本発明の撮像装置の制御方法は、撮像手段により生成される映像信号が従う第１の映像信号方式または第２の映像信号方式を使用者の操作に応じて選択する映像信号方式選択工程と、前記映像信号方式選択工程において選択された映像信号方式に応じて、前記映像信号を記録媒体に記録可能な記録フォーマットを表示部に提示する提示工程とを備えることを特徴とする。
また、本発明の撮像装置の制御方法の他の特徴とするところは、撮像手段から得られた撮像信号を用いて、第１の映像信号方式に従う第１の映像信号、または前記第１の映像信号方式とは異なる第２の映像方式に従う第２の映像信号を生成する映像信号生成工程と、前記映像信号生成工程において出力された映像信号が従う映像信号方式を使用者の操作に応じて選択する映像信号方式選択工程と、前記第１の映像信号を記録媒体に記録するための記録フォーマット、または前記第２の映像信号を前記記録媒体に記録するための記録フォーマットの何れか一方を任意に選択する記録フォーマット選択工程と、前記記録フォーマット選択工程において選択された記録フォーマットに従って前記記録媒体を初期化処理する初期化工程と、前記映像信号生成工程において生成された第１の映像信号または第２の映像信号を前記初期化工程において初期化処理された記録媒体に記録する記録工程と、前記映像方式選択工程において選択された映像信号方式に応じて、前記記録フォーマット選択工程において選択可能な記録フォーマットを表示部に提示する提示工程とを備えることを特徴とする。
【００１２】
本発明のプログラムは、撮像手段により生成される映像信号が従う第１の映像信号方式または第２の映像信号方式を使用者の操作に応じて選択する映像信号方式選択工程と、前記映像信号方式選択工程において選択された映像信号方式に応じて、前記映像信号を記録媒体に記録可能な記録フォーマットを表示部に提示する提示工程とを備える撮像装置の制御方法をコンピュータに実行させることを特徴とする。
また、本発明のプログラムの他の特徴とするところは、撮像手段から得られた撮像信号を用いて、第１の映像信号方式に従う第１の映像信号、または前記第１の映像信号方式とは異なる第２の映像方式に従う第２の映像信号を生成する映像信号生成工程と、前記映像信号生成工程において出力された映像信号が従う映像信号方式を使用者の操作に応じて選択する映像信号方式選択工程と、前記第１の映像信号を記録媒体に記録するための記録フォーマット、または前記第２の映像信号を前記記録媒体に記録するための記録フォーマットの何れか一方を任意に選択する記録フォーマット選択工程と、前記記録フォーマット選択工程において選択された記録フォーマットに従って前記記録媒体を初期化処理する初期化工程と、前記映像信号生成工程において生成された第１の映像信号または第２の映像信号を前記初期化工程において初期化処理された記録媒体に記録する記録工程と、前記映像方式選択工程において選択された映像信号方式に応じて、前記記録フォーマット選択工程において選択可能な記録フォーマットを表示部に提示する提示工程とを備える撮像装置の制御方法をコンピュータに実行させることを特徴とする。
【００１３】
本発明の記憶媒体は、前記の何れかに記載のプログラムを記憶したことを特徴とする。
【発明の効果】
【００１４】
本発明によれば、選択された映像信号方式に応じて、映像信号を記録媒体に記録可能な記録フォーマットを提示するようにした。これにより、複数のフォーマットで記録可能な記録媒体に映像の記録を行う場合に、初期化フォーマットを容易に選択することが可能となり、記録・再生を行うことができないフォーマットで記録媒体の初期化処理を行わないようにすることができる。
【発明を実施するための最良の形態】
【００１５】
（第１の実施形態）
以下、本発明の実施形態について図面を参照しながら説明する。
図１は、本実施形態において、光学ディスクを記録媒体とする撮像装置（ディスクカムコーダ）の構成例を示すブロック図である。
図１において、１０１はレンズであり、１０２は固体撮像素子であるＣＣＤ（Ｃｈａｒｇｅ  Ｃｏｕｐｌｅｄ  Ｄｅｖｉｃｅ）である。１０３は撮像信号を映像信号に変換する映像信号処理回路であり、１０４は映像信号を表示装置あるいは出力端子へ出力する映像表示出力回路である。
【００１６】
１０５は映像出力端子であり、１０６は映像表示装置であるＬＣＤ（Ｌｉｑｕｉｄ  Ｃｒｙｓｔａｌ  Ｄｉｓｐｌａｙ）である。１０７は映像信号の圧縮方式を選択するための圧縮方式選択回路である。１０８は規格化された圧縮方式に基づいて映像信号の圧縮処理を行う第１の映像信号圧縮回路であり、１０９は第１の映像信号圧縮回路１０８と異なる規格化された圧縮方式に基づいて映像信号の圧縮処理を行う第２の映像信号圧縮回路である。１１０は圧縮された映像信号を記録媒体へ記録する記録回路であり、１１１は記録媒体である光学ディスクである。
【００１７】
１１２は初期化要求回路であり、１１３はディスクカムコーダのシステム制御を行うマイクロコンピュータである。１１４は光学ディスク１１１を初期化する際の記録フォーマットの種別を選択する初期化選択回路であり、１１５、１１６、１１７、及び１１８はそれぞれ、光学ディスク１１１を各々異なる記録フォーマットに従って初期化する第１、第２、第３、及び第４の初期化回路である。１１９はＨＤモードまたはＳＤモードのどちらかを選択するためのカメラモード切替回路であり、１２０は光学ディスク１１１を検出する記録媒体検出回路である。
【００１８】
レンズ１０１で結像した光は、ＣＣＤ１０２で光電変換され撮像信号となる。そして、撮像信号は映像信号処理回路１０３で映像信号に変換される。また、マイクロコンピュータ１１３からの指示に従い、ディスクカムコーダの状態表示や各種設定を行うためのメニュー画面の表示としてＯＳＤ（Ｏｎ  Ｓｃｒｅｅｎ  Ｄｉｓｐｌａｙ）の信号生成を行う。
【００１９】
映像信号は、映像表示出力回路１０４と圧縮方式選択回路１０７とへ出力される。そして、映像信号は映像表示出力回路１０４で外部出力信号となり、映像出力端子１０５を介して外部に出力される。さらに、映像表示出力回路１０４はＬＣＤ１０６で映像表示を行うための制御を行う。
【００２０】
一方で、前述したように映像信号は圧縮方式選択回路１０７へも出力される。圧縮方式選択回路１０７はマイクロコンピュータ１１３からの指示に従い、入力した映像信号を第１の映像信号圧縮回路１０８または第２の映像信号圧縮回路１０９のいずれか一方に出力する。
【００２１】
第１の映像信号圧縮回路１０８と第２の映像信号圧縮回路１０９とでは互いに異なる圧縮方式で映像信号を圧縮する。第１の映像信号圧縮回路１０８での圧縮方式はＭＰＥＧ４−ＡＶＣ（Ｈ．２６４）方式であり、ＨＤＴＶの映像信号の圧縮を行う。一方、第２の映像信号圧縮回路１０９での圧縮方式はＭＰＥＧ２方式であり、ＳＤＴＶの映像信号の圧縮を行う。
【００２２】
また、映像信号処理回路１０３から出力される映像信号は、ＨＤＴＶに対応した信号であるため、第２の映像信号圧縮回路１０９は、信号の圧縮前にＨＤＴＶをＳＤＴＶへダウンコンバートするダウンコンバート回路を含んでいる。
【００２３】
圧縮された映像信号は記録回路１１０により光学ディスク１１１に記録される。具体的には、まず記録回路１１０は映像信号を所定のデータに変換する。変換されたデータはピックアップ部（不図示）を介してレーザー光で光学ディスク１１１に記録される。その際に、光学ディスク１１１を回転するスピンドルモーター（不図示）とピックアップ部を駆動するトラッキングモーター（不図示）の駆動制御を行うモータードライバ（不図示）の制御も記録回路１１０から行われる。
【００２４】
記録時においては、ＤＶＤ−ＲやＤＶＤ−ＲＷのように光学ディスク１１１の記録層にレーザー光が照射されて情報が記録される。一方、再生時においては、記録層にレーザー光が照射され、その反射光をピックアップ部で検出して情報が取り出される（光学ディスク１１１の構造は不図示）。
【００２５】
記録媒体検出回路１２０は光学ディスク１１１のディスク情報を読み出し、マイクロコンピュータ１１３へ出力する。マイクロコンピュータ１１３は、その結果から光学ディスク１１１が装着されているか否か、またフォーマット済みか否かを判断し、フォーマット済みであればフォーマットの種類を判断する。
【００２６】
初期化選択回路１１４は４つの初期化回路１１５〜１１８から一つを選択する。そして、第１の初期化回路１１５、第２の初期化回路１１６、第３の初期化回路１１７、及び第４の初期化回路１１８はそれぞれ異なる記録フォーマットで光学ディスク１１１をフォーマットする初期化データを記録回路１１０に出力する。記録回路１１０はフォーマット処理時に初期化データを光学ディスク１１１に記録し、フォーマット処理を行う。
【００２７】
初期化要求回路１１２は映像出力端子１０５から出力されて表示されたメニュー画面又はＬＣＤ１０６に表示されたメニュー画面から操作キー（不図示）により選択されたフォーマットの種別とフォーマット開始の指示とをマイクロコンピュータ１１３へ出力する。カメラモード切替回路１１９は、メニュー画面からＳＤ信号またはＨＤ信号の何れの映像信号を記録するかを選択し、選択結果をマイクロコンピュータ１１３へ出力する。
【００２８】
次に、本実施形態におけるカメラモード（記録する映像信号の方式）、映像圧縮方式、光学ディスク１１１のファイルフォーマットおよび信号の記録方式の組み合わせについて説明する。ディスクカムコーダの記録フォーマットとしてＤＶＤ及びＡＶＣＨＤの２種類がある。ＤＶＤは動画の圧縮方式としてＭＰＥＧ２方式を用い、光学ディスク１１１のファイルフォーマットとしてＵＤＦ２．０を用いている。カメラモードとしてはＳＤＴＶの解像度の記録が可能である。
【００２９】
一方、ＡＶＣＨＤは動画の圧縮方式としてＭＰＥＧ４−ＡＶＣ（Ｈ．２６４）方式を用い、光学ディスク１１１のファイルフォーマットとしてＵＤＦ２．５を用いている。また、カメラモードとしてはＨＤＴＶの解像度の記録が可能である。そのため、記録フォーマットの違いはファイルフォーマットの違いに等しい。また、各記録フォーマットはともに光学ディスク１１１への記録の際に、ＶｉｄｅｏフォーマットまたはＶＲフォーマットのディスクフォーマットの選択が可能である。
【００３０】
図２は、各カメラモード、記録フォーマット、ディスクフォーマットの組み合わせで記録可能な組み合わせを示す図である。なお、「○」が記録可能な組み合わせを示し、「×」が記録不可能な組み合わせを示している。
【００３１】
図２に示すように、記録フォーマット、ディスクフォーマット及びカメラモードの組み合わせは８通りあるが、カメラモードでＳＤモードを選択した場合は、光学ディスク１１１にはＳＤＴＶの解像度の記録しかできない。このため、選択可能な記録フォーマットは、ＤＶＤ  Ｖｉｄｅｏフォーマット及びＤＶＤ  ＶＲフォーマットの２種類から選択可能となる。
【００３２】
一方、カメラモードでＨＤモードを選択した場合は、光学ディスク１１１にはＨＤＴＶの解像度の記録しかできない。このため、選択可能な記録フォーマットは、ＡＶＣＨＤ  Ｖｉｄｅｏフォーマット及びＡＶＣＨＤ  ＶＲフォーマットの２種類から選択可能となる。このように予めディスクカムコーダの使用者が選択済のカメラモードで記録するためには、前記カメラモードで記録可能な光学ディスク１１１の記録フォーマットを選択する必要がある。
【００３３】
次に、未フォーマットの光学ディスク（以下、ブランクディスク）１１１が本実施形態のディスクカムコーダに装着された場合に、記録フォーマットを選択しフォーマット処理が終了するまでの動作について説明する。光学ディスク１１１としてブランクディスクがディスクカムコーダに装着されると、記録媒体検出回路１２０はブランクディスク上の所定の領域のデータを読み出す。そして、ファイルフォーマットの種別やフォーマットの有無などからなるディスク情報をマイクロコンピュータ１１３へ送る。
【００３４】
初期化選択回路１１４は、フォーマットを行う回路を、第１の初期化回路１１５〜第４の初期化回路１１８の中から選択する。第１の初期化回路１１５は、ＤＶＤ記録用にＵＤＦ２．０でファイルフォーマットを行い、Ｖｉｄｅｏフォーマットでディスクフォーマットを行う。第２の初期化回路１１６は、ＤＶＤ記録用にＵＤＦ２．０でファイルフォーマットを行い、ＶＲフォーマットでディスクフォーマットを行う。第３の初期化回路１１７は、ＡＶＣＨＤ記録用にＵＤＦ２．５でファイルフォーマットを行い、Ｖｉｄｅｏフォーマットでディスクフォーマットを行う。第４の初期化回路１１８は、ＡＶＣＨＤ記録用にＵＤＦ２．５でファイルフォーマットを行い、ＶＲフォーマットでディスクフォーマットを行う。本実施形態においては、このように、異なるファイルフォーマットとディスクフォーマットの組み合わせでフォーマットを行うための初期化データを出力する４種類の初期化回路１１５〜１１８を備えている。なお、フォーマットの種別はマイクロコンピュータ１１３から指示される。
【００３５】
マイクロコンピュータ１１３はディスクカムコーダのシステム制御を行うためのコンピュータであり、制御コードや制御データテーブルからなるＲＯＭと各種情報を一時的に記憶するためのＲＡＭとを備えている（ＲＯＭ、ＲＡＭの構成は不図示）。マイクロコンピュータ１１３は、記録媒体検出回路１２０から送られるディスク情報によりブランクディスクの装着を検出するとフォーマット処理を行う。
【００３６】
その際、マイクロコンピュータ１１３は、カメラモードがＳＤモードあるいはＨＤモードのどちらが選択されているかを検出する。そして、選択されているカメラモードで記録可能なフォーマットの種別を使用者に選択させるメニュー画面を映像出力端子１０５及びＬＣＤ１０６へ出力するためのＯＳＤデータを生成し、映像信号処理回路１０３へ出力する。また、メニュー画面で選択された項目は初期化要求回路１１２からフォーマットの種別及びフォーマット開始の情報としてマイクロコンピュータ１１３へ入力される。
【００３７】
次に、ブランクディスクが装着されてからマイクロコンピュータ１１３が行う処理について図３−１に示すフローチャートを参照しながら説明する。
光学ディスク１１１が装着されると、まずステップＳ３０１において、記録媒体検出回路１２０から入力されたディスク情報を検出し、光学ディスク１１１が挿入されたか否かを判断する。この判断の結果、光学ディスク１１１が挿入されていない場合は、挿入されたことを検出するまで待機する。一方、ステップＳ３０１の判断の結果、光学ディスク１１１が挿入された場合は、ディスク種別情報を取得してステップＳ３０２へ進む。ディスク種別情報は、ファイルフォーマットやディスクフォーマットの種別からなる情報であり、フォーマット済みの光学ディスク１１１であれば、所定の値が得られる。
【００３８】
次に、ステップＳ３０２において、ステップＳ３０１で取得したディスク種別情報からブランクディスクであるか否かを判別する。この判別の結果、ブランクディスクである場合はステップＳ３０３に進む。一方、ステップＳ３０２の判別の結果、ブランクディスクではなくフォーマット済みディスクである場合は、フォーマットを行う必要がないため、処理を終了する。
【００３９】
次に、ステップＳ３０３において、カメラモード切替回路１１９から送られる情報から、現在、使用者が選択しているディスクカムコーダ本体のカメラモードがＳＤモードであるか否かを判別する。この判別の結果、カメラモードがＳＤモードである場合は、ステップＳ３０５に進む。一方、ステップＳ３０３の判別の結果、カメラモードがＳＤモードではなくＨＤモードである場合は、ステップＳ３０４に進む。
【００４０】
ステップＳ３０４において、カメラモードがＨＤモードであるため、ＨＤＴＶの画像が記録できる記録フォーマットの種別だけをメニュー画面に表示する。一方、同様にステップＳ３０５において、カメラモードがＳＤモードであるため、ＳＤＴＶの画像が記録できる記録フォーマットの種別だけをメニュー画面に表示する。
【００４１】
ここで、カメラモードがＨＤモードで選択されている場合のフォーマット時における具体的なメニュー画面の一例を図４−１に示す。この場合、カメラモードがＨＤモードであるため、ＨＤＴＶの画像が記録できる記録フォーマットだけが表示される。
【００４２】
メニュー画面に表示されている「ＨＤ（ＡＶＣＨＤ）  Ｖｉｄｅｏ」の項目４０１は、ＡＶＣＨＤ記録用にＵＤＦ２．５でファイルフォーマットを行い、Ｖｉｄｅｏフォーマットでディスクフォーマットを行うための選択項目である。一方、「ＨＤ（ＡＶＣＨＤ）  ＶＲ」の項目４０２は、ＡＶＣＨＤ記録用にＵＤＦ２．５でファイルフォーマットを行い、ＶＲフォーマットでディスクフォーマットを行うための選択項目である。
【００４３】
使用者は、予めカメラモードをＨＤモードに選択しているため、ＨＤＴＶの画像を記録可能な記録フォーマットだけしか選択できなくなる。これにより、使用者が誤ってＳＤＴＶの画像を記録するための記録フォーマットを選択してしまうという事故を回避することができる。
【００４４】
次に、カメラモードがＳＤモードで選択されている場合のフォーマット時における具体的なメニュー画面の一例を図４−２に示す。この場合、カメラモードがＳＤモードであるため、ＳＤＴＶの画像が記録できる記録フォーマットだけが表示される。
【００４５】
メニュー画面に表示されている「ＳＤ（ＤＶＤ）  Ｖｉｄｅｏ」の項目４０３は、ＤＶＤ記録用にＵＤＦ２．０でファイルフォーマットを行い、Ｖｉｄｅｏフォーマットでディスクフォーマットを行うための選択項目である。また、「ＳＤ（ＤＶＤ）  ＶＲ」の項目４０４は、ＤＶＤ記録用にＵＤＦ２．０でファイルフォーマットを行い、ＶＲフォーマットでディスクフォーマットを行うための選択項目である。
【００４６】
使用者は、予めカメラモードをＳＤモードに選択しているため、ＳＤＴＶの画像を記録可能な記録フォーマットだけしか選択できなくなる。これにより、使用者が誤ってＨＤＴＶの画像を記録するための記録フォーマットを選択してしまうという事故を回避することができる。
【００４７】
次に、カメラモードがＨＤモードで選択されている場合のフォーマット時における具体的なメニュー画面の別の一例を図５−１に示す。この場合、ＨＤＴＶで記録可能な記録フォーマット５０１とＳＤＴＶで記録可能な記録フォーマット５０２との全ての記録フォーマットが表示されている。ところが、カメラモードがＨＤモードであるため、ＨＤＴＶの画像が記録できる記録フォーマットが強調して表示される。
【００４８】
メニュー画面に表示されている「ＨＤ（ＡＶＣＨＤ）  Ｖｉｄｅｏ」及び「ＨＤ（ＡＶＣＨＤ）  ＶＲ」は、いずれもＨＤＴＶの画像が記録可能な記録フォーマットの選択項目である。ＳＤＴＶで記録可能な記録フォーマットの選択項目と比較して、ＨＤＴＶの画像を記録可能な記録フォーマットの選択項目が強調して表示される。これにより、使用者が誤ってＳＤＴＶの画像を記録するための記録フォーマットを選択してしまうという事故を回避することができる。
【００４９】
次に、カメラモードがＳＤモードで選択されている場合のフォーマット時における具体的なメニュー画面の別の一例を図５−２に示す。この場合、ＨＤで記録可能な記録フォーマット５０３とＳＤで記録可能な記録フォーマット５０４との全ての記録フォーマットが表示されている。ところが、カメラモードがＳＤモードであるため、ＳＤＴＶの画像が記録できる記録フォーマットが強調して表示される。
【００５０】
メニュー画面表示されている「ＳＤ（ＤＶＤ）  Ｖｉｄｅｏ」及び「ＳＤ（ＤＶＤ）  ＶＲ」は、いずれもＳＤＴＶで記録可能な記録フォーマットを行うための選択項目である。ＨＤＴＶの画像を記録可能なディスクフォーマットの選択項目と比較して、ＳＤＴＶの画像を記録可能なディスクフォーマットの選択項目が強調して表示される。これにより、使用者が誤ってＨＤＴＶの画像を記録するためのディスクフォーマットを選択してしまうという事故を回避することができる。
【００５１】
図３−１の説明に戻ると、次に、ステップ３０６において、使用者によりディスクフォーマットが選択されると、選択されたフォーマットの内容に応じた項目を表示する。また、選択された項目の詳細情報としてカメラモードの種類とディスクフォーマットの種類とに関する情報を表示し、使用者に対して用途に合わない（誤った）フォーマットの選択をさせないようにしている。そして、ステップ３０７では、選択されたディスクフォーマットでフォーマットを行い、処理を終了する。
【００５２】
ここで図６を参照しながら具体的な表示内容について説明する。ステップＳ３０６においては、ステップＳ３０４で表示された記録フォーマットの種別から記録フォーマットの種別が選択され、フォーマットのメニュー画面はまず図６（ａ）に示す画面に切り替わる。図６（ａ）に示す画面では、使用者に対し、フォーマット実行の可否を選択させる。選択された項目６０１はフォーマットの種別選択と同様に反転強調表示される。
【００５３】
ステップＳ３０７においては、フォーマット開始が選択されると、初期化要求回路１１２はマイクロコンピュータ１１３に対して、ブランクディスクのフォーマット要求を出力する。マイクロコンピュータ１１３はステップＳ３０６で生成したフォーマット種別情報を初期化選択回路１１４へ出力する。
【００５４】
例えば、図６（ａ）に示すようにＡＶＣＨＤのＶｉｄｅｏモードを選択した場合は、初期化選択回路１１４により初期化回路として第３の初期化回路１１７が選択される。そして、ＵＤＦ２．５によるファイルフォーマット、Ｖｉｄｅｏフォーマットによるディスクフォーマットが実行される。フォーマットが実行されるとメニュー画面は、図６（ｂ）に示す画面に切り替わり、フォーマット処理の状況を経過情報６０２とともに逐次知らせる。フォーマット処理が完了するとメニュー画面は、図６（ｃ）に示す画面に切り替わり、フォーマットが終了したことを意味するメッセージを表示して処理を終了する。
【００５５】
本実施形態においては、ブランクディスクが装着された際に行うフォーマット処理に関して説明したが、フォーマット済みの書き換え可能な光学ディスク１１１に対して、再フォーマットを行う場合についても同様の処理を行うことが可能である。
【００５６】
図３−２は、フォーマット済みの書き換え可能な光学ディスク１１１に対してマイクロコンピュータ１１３が行う処理手順の一例を示すフローチャートである。図３−１に示すフローチャートと異なる点は、ステップＳ３１０において、使用者によりメニュー画面から初期化処理の要求があるか否かを判断している。この判断の結果、初期化処理の要求がない場合は、そのまま処理を終了する。一方、ステップＳ３１０の判断の結果、初期化処理の要求がある場合は、ステップＳ３０３に進み、以降の処理については図３−１に示す処理と同じである。
【００５７】
以上のように本実施形態においては、選択されたカメラモードに応じて、映像信号を光学ディスク１１１に記録可能な記録フォーマットを提示する。これにより、使用者はブランクディスクのフォーマットの種類とカメラモードとの組み合わせを考えることなく、フォーマット処理を実行できる。
【００５８】
（本発明に係る他の実施形態）
前述した本発明の実施形態における撮像装置を構成する各手段、並びに撮像装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５９】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００６０】
なお、本発明は、前述した実施形態の機能を実現するソフトウェアのプログラム（実施形態では図３−１及び図３−２に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００６１】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６２】
その場合、プログラムの機能を有していれば、オブジェクトコード、インタプリタにより実行されるプログラム、ＯＳに供給するスクリプトデータ等の形態であってもよい。
【００６３】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６６】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６８】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６９】
【図１】本発明の実施形態におけるディスクカムコーダの構成例を示すブロック図である。
【図２】本発明の実施形態における記録フォーマットとカメラモードとの組み合わせを示す図である。
【図３−１】本発明の実施形態において、ブランクディスクに対してマイクロコンピュータが行う処理手順の一例を示すフローチャートである。
【図３−２】本発明の実施形態において、フォーマット済みの書き換え可能な光学ディスクに対してマイクロコンピュータが行う処理手順の一例を示すフローチャートである。
【図４−１】本発明の実施形態において、カメラモードがＨＤモードで選択されている場合のフォーマット時における具体的なメニュー画面の一例を示す図である。
【図４−２】本発明の実施形態において、カメラモードがＳＤモードで選択されている場合のフォーマット時における具体的なメニュー画面の一例を示す図である。
【図５−１】本発明の実施形態において、カメラモードがＨＤモードで選択されている場合のフォーマット時における具体的なメニュー画面の別の一例を示す図である。
【図５−２】本発明の実施形態において、カメラモードがＳＤモードで選択されている場合のフォーマット時における具体的なメニュー画面の別の一例を示す図である。
【図６】本発明の実施形態において、フォーマット時におけるメニュー画面の一例を示す図である。
【符号の説明】
【００７０】
１０１  レンズ
１０２  ＣＣＤ
１０３  映像信号処理回路
１０４  映像表示出力回路
１０５  映像出力端子
１０６  ＬＣＤ
１０７  圧縮方式選択回路
１０８  第１の映像信号圧縮回路
１０９  第２の映像信号圧縮回路
１１０  記録回路
１１１  光学ディスク
１１２  初期化要求回路
１１３  マイクロコンピュータ
１１４  初期化選択回路
１１５  第１の初期化回路
１１６  第２の初期化回路
１１７  第３の初期化回路
１１８  第４の初期化回路
１１９  カメラモード切替回路
１２０  記録媒体検出回路
【図１】
2008054228.tif 000003
【図２】
2008054228.tif 000004
【図３−１】
2008054228.tif 000005
【図３−２】
2008054228.tif 000006
【図４−１】
2008054228.tif 000007
【図４−２】
2008054228.tif 000008
【図５−１】
2008054228.tif 000009
【図５−２】
2008054228.tif 000010
【図６】
2008054228.tif 000011